(57)【要約】      （修正有）【課題】容器の大小に適応でき、簡単な構造で安価に製造でき、水を入れた容器の保持用と、容器の水切り用を兼ね、容器の外底や飲み口に接触せず清潔に保持できる容器保持具を提供する。【解決手段】平面視略α字状に形成し、環状の周囲支持部４と、交差部７と、両端の基体１ａと基体１ｂと、周囲支持部４の少なくとも一箇所に設けた下方へ向けたくぼみ部５と、くぼみ部５の下端に設けた取手支持部６とで構成する。又は平面視略Ｃ字状に形成し、両端に設けた基体１ａと、基体１ｂと、開口部と、略円弧状の周囲支持部４と、周囲支持部４の少なくとも一箇所に設けた下方に向けたくぼみ部５と、くぼみ部５の下端に設けた取手支持部６とで構成する。基体１ａと基体１ｂが取り付け部材４０で連結され、取り付け部材４０を容器保持具本体の強度メンバーとして構成するか、又は洗面化粧台またはシステムキッチンに基体１ａと、基体１ｂの取り付け手段２０を設ける。【選択図】図１
2014054505.tif 000002
【特許請求の範囲】
【請求項１】
水を入れた容器の保持用と、水切り用とを兼ねた容器保持具であって、平面視略α字状に形成し、環状の周囲支持部と、交差部と、両端の基体ａと基体ｂと、前記周囲支持部の少なくとも一箇所に設けた下方へ向けたくぼみ部と、そのくぼみ部の下端に設けた取手支持部とで成る容器保持具。
【請求項２】
水を入れた容器の保持用と、水切り用とを兼ねた容器保持具であって、平面視略Ｃ字状に形成し、両端に設けた基体ａと、基体ｂと、開口部と、略円弧状の周囲支持部と、その周囲支持部の少なくとも一箇所に設けた下方に向けたくぼみ部と、そのくぼみ部の下端に設けた取手支持部とで成る容器保持具。
【請求項３】
前記基体ａと前記基体ｂが、取り付け部材で連結され、その取り付け部材を容器保持具本体の強度メンバーとして構成した請求項１又は請求項２の容器保持具。
【請求項４】
洗面化粧台に前記基体ａと、前記基体ｂを取り付ける手段を設けた請求項１から請求項３のいずれか一項の容器保持具。
【請求項５】
システムキッチンに前記基体ａと、前記基体ｂを取り付ける手段を設けた請求項１から請求項３のいずれか一項の容器保持具。
【発明の詳細な説明】
【技術分野】
【０００１】  本発明は、水を入れた容器の保持用と、水切り用とを兼ねた容器保持具に関するものである。
【背景技術】
【０００２】  水を入れた容器の保持用と、水切り用とを兼ねた容器保持具がある。（特許文献１参照）
【先行技術文献】
【０００３】
【特許文献１】  特許第４５３５４０４号公報
【発明の概要】
【発明が解決しようとする課題】
【０００４】  特許第４５３５４０４号公報は、容器の寸法の大小に適合するため、周囲支持部の中に仕切り板を設ける公知の方法を参考として記載している。しかし構造が複雑になりコストも高くなる。【０００５】  この発明の課題は、以上の問題を解決するために、容器の大小に適応できる簡単な構造の容器保持具を提供するにある。
【課題を解決するための手段】
【０００６】  平面視略α字状に形成し、環状の周囲支持部と、交差部と、両端の基体ａと基体ｂと、前記周囲支持部の少なくとも一箇所に設けた下方へ向けたくぼみ部と、そのくぼみ部の下端に設けた取手支持部とで構成する。【０００７】  平面視略Ｃ字状に形成し、両端に設けた基体ａと、基体ｂと、開口部と、略円弧状の周囲支持部と、その周囲支持部の少なくとも一箇所に設けた下方に向けたくぼみ部と、そのくぼみ部の下端に設けた取手支持部とで構成する。【０００８】  前記基体ａと前記基体ｂが、取り付け部材で連結され、その取り付け部材を容器保持具本体の強度メンバーとして構成する。【０００９】  洗面化粧台に前記基体ａと、前記基体ｂを取り付ける手段を設ける。【００１０】  システムキッチンに前記基体ａと、前記基体ｂを取り付ける手段を設ける。
【発明の効果】
【００１１】  全請求項に共通の効果は、容器の大小に対応でき、簡単な構造で安価に製造できる。水を入れた容器の保持用と、水切り用を兼ね、容器の飲み口や外底に非接触で衛生的に保持できる。容器を掛ける外すが片手ででき、手の不自由な方も使いやすい。収納の役割も果たす。
請求項１は、共通の効果に加え、基体ａと基体ｂの間隔を広げ、周囲支持部の内側を狭めることで小径の容器を保持できる。基体ａと基体ｂの間隔を狭め、周囲支持部の内側を広げることで大径の容器を保持できる。
請求項２は、共通の効果に加え、開口部を狭め、周囲支持部の内側を狭めることで小径の容器を保持できる。開口部を広げ、周囲支持部の内側を広げることで大径の容器を保持できる。
請求項３は、共通の効果に加え、基体ａと基体ｂの取り付け部材である鏡や壁面・板部が基体ａと基体ｂを連結し、強度メンバーとして構成することで、容器保持具本体が堅牢になる。強度確保のための構造を省略でき、安価に製造できる。
請求項４は、共通の効果に加え、、洗面化粧台の板部に設けた取り付け部に、本発明の容器保持具を簡単に着脱できるようになり、洗面化粧台にて容器が使いやすくなる。
請求項５は、共通の効果に加え、システムキッチンの板部に設けた取り付け部に、本発明の容器保持具を簡単に着脱できるようになり、キッチンにて容器が使いやすくなる。
【図面の簡単な説明】
【００１２】
【図１】は、請求項１の構成を示す斜視図である。
【図２】は、（ａ）は正面図であり、（ｂ）は背面図であり、（ｃ）は左側面図である。
【図３】は、（ａ）は平面図であり、（ｂ）と（ｃ）は容器の大小に対応する使用状態を示す平面図である。
【図４】は、請求項２の構成を示す（ａ）と（ｂ）は斜視図であり（ｃ）は平面図である。
【図５】は、（ａ）は正面図（ｂ）は背面図（ｃ）は左側面図である。
【図６】は、容器の大小に対応する使用状態を示す平面図である。
【図７】は、基体の形状を示す（ａ）と（ｂ）は平面図であり、（ｃ）は斜視図である。
【図８】は、本発明の容器保持具を取り付ける構造を設けた洗面化粧台の斜視図である。
【図９】は、本発明の実施例を示す（ａ）と（ｂ）は斜視図であり、（ｃ）は平面図である。
【発明を実施するための形態】
【００１３】  図１（ａ）は、棒状の部材または金属線により平面視略α字状に形成し、交差部７と、環状に形成した周囲支持部４と、その周囲支持部４に下方へ向けたくぼみ部５を少なくとも１箇所設け、そのくぼみ部５の下端に設けた取手支持部６と，交差部７から端部の略中間に下方に曲げた基体屈折部１ｃと，基体屈折部１ｄと、端部の基体１ａと基体１ｂとで構成する。材質は可塑性を有するものが好適である。一本の棒又は金属線で形成でき溶接の工程が無いため安価に製造できる。
基体屈折部１ｃと基体屈折部１ｄを上方に曲げても良い。容器１０の大小に合わせた結果、基体１ａと基体１ｂが接近して吸盤２０と吸盤２０が重なるような状態を避けるため基体屈折部１ｃと基体屈折部１ｄの片方を上方に曲げ、片方を下方に曲げても良い。基体１ａと基体１ｂを取り付ける部位の状況により曲げ方向を変えればよい。
【００１４】  図１（ｂ）は、基体１ａと基体１ｂに吸盤２０を嵌め、水１４を入れた容器１０を保持する使用状態を示す斜視図であり、容器１０の取手下端部１１ｂをくぼみ部５に挿入し取手支持部６に当接させると、容器１０は交差部７と取手支持部６で支えられ安定して保持される。
【００１５】  図１（ｂ）と図４（ｂ）のとおり荷重に対し片持ち支持構造であるため、耐荷重テストを実施した。テスト方法は、可塑性を有する直径３．２ミリ鉄線で製造した本発明品を壁面に取り付け、周囲支持部４を水平にした状態で負荷させた後の水平から下方へ変形した角度を測るものである。２．１キログラムの荷重を６０日間負荷させてから負荷を外したところ、テスト前の水平を維持しており、分度器による目視計測では変形はゼロであった。
洗面台やキッチンで使われるプラスチック容器１０に水を入れた状態の重量は約３００グラムであり、それに対し約７倍の負荷に耐えた。
以上により、洗面化粧台用又はキッチン用の本発明品を鉄線で製造する場合は、直径３ミリ〜４ミリが好適で十分な実用強度を有するものである。
【００１６】  図１（ｂ）と図４（ｂ）のとおり、基体１ａと基体１ｂは分離しているが、鏡や壁面・板部などに取り付けると、取り付け部位を通して基体１ａ、と基体１ｂが連結し、取り付け部位が基体１ａと基体１ｂの強度メンバーとなり、周囲支持部４の強度メンバーともなり、全体が堅牢になる。
【００１７】  図１（ｃ）は、基体１ａと基体１ｂをワイヤーネット４０に掛けた状態を示し基体１ａと基体１ｂの上部をワイヤーネット４０側に下部を周囲支持部４側にワイヤーネット４０の厚み分曲げることで取り付けを容易にし、強固に取り付けられる。
【００１８】  図２（ａ）は、正面図であり、（ｂ）は背面図である。（ｃ）は左側面図であり、容器１０を水切りをして保持した状態を点線で示したものである。容器１０の飲み口１２が、壁面などの取り付け部位や本発明の構成部位に非接触で清潔に保持される。
【００１９】  図３の（ａ）は、平面図であり、周囲支持部４は、交差部７を鋭端とする略卵形に形成することで小径の容器１０ｂに対応できる上，大径の容器１０ｅを保持するときの周囲支持部４の形状は大径の略真円形となって保持可能となる。
【００２０】  図３（ｂ）は小径の容器１０ｂを保持した状態を示す平面図であり、周囲支持部４の内側を狭め、基体１ａと基体１ｂは間隔を広げ、壁面取り付け部位が容器１０ｂの重心より遠くなるが小径の容器１０ｂは軽量であるため、負荷が軽く荷重に耐えられる利点がある。
図３（ｃ）は大径の容器１０ｅを保持した状態を示す平面図であり、周囲支持部４の内側を広げ、基体１ａと基体１ｂとは間隔が狭まり、壁面取り付け部位が容器１０ｅの重心に近くなり耐荷重が強くなる利点がある。
【００２１】  図４（ａ）は、棒状部材または金属線により形成した例を示す斜視図であり、平面視略Ｃ字状に形成し開口部２と、円弧状の周囲支持部４に少なくとも１箇所に設けたくぼみ部５と、くぼみ部５の下端に取手支持部６を設け、屈曲部３ａと屈曲部３ｂから左右に曲げ平面視略オメガ状にし、屈曲部３ａおよび屈曲部３ｂから端部の略中間に下方に曲げた基体屈折部１ｃと，基体屈折部１ｄと、端部の基体１ａ  と基体１ｂとで構成する。
材質は可塑性を有するものが好適である。
基体屈折部１ｃと基体屈折部１ｄを上方に曲げても良い。または基体屈折部１ｃと基体屈折部１ｄの片方を上方に曲げ、片方を下方に曲げても良い。
屈曲部３ａおよび屈曲部３ｂから下方に、あるいは上方に曲げても良い。または屈曲部３ａおよび屈曲部３ｂから片方を上方に曲げ、片方を下方に曲げても良い。いずれも基体１ａと基体１ｂを取り付ける部位の状況により曲げ方向を変えればよい。
【００２２】  図４（ｂ）は、基体１ａと基体１ｂに吸盤２０を嵌め、容器１０の水切りをして保持する使用状態を示す斜視図であり、容器１０の取手上端部１１ａをくぼみ部５に挿入し取手支持部６に当接させ、容器１０を周囲支持部４の中に挿入すると、容器１０は、開口部２側に傾き屈曲部３ａと屈曲部３ｂに当接し容器１０は安定して保持される。
【００２３】  図４（ｃ）は、開口部２を閉じた状態を示す平面図であり、周囲支持部４は開口部２側を鋭端とする略卵形に形成することで図６に示すとおり容器１０の大小に対応できる。
【００２４】  図５は開口部２を閉じた状態の（ａ）は正面図であり、（ｂ）は背面図であり、（ｃ）は左側面図である。
【００２５】  図６（ａ）は小径の容器１０ｂと、点線で示した中径の容器１０ｃの保持状態を示す平面図である。取手支持部６から取手１１が、取手の前後長さの略３分の１以上外側に出ていれば安定して保持できる。
【００２６】  図６（ｂ）はやや大径の容器１０ｄを保持した状態を示す平面図であり、開口部２を開け周囲支持部４を広げることで保持可能となる。
【００２７】  図６（ｃ）は、大径の容器１０ｅの保持状態を示す平面図である。開口部２を大きく開け周囲支持部４を広げることで保持可能となる。このとき周囲支持部４は大径の略真円の円弧状となる。
開口部２の開口限度は、周囲支持部４の内側直径の７０〜８０％までであり、その状態が安定して保持できる最大径の容器１０となる。
また、開口部２を開くほど基体１ａと基体１ｂの位置が壁面など取り付け面に対し角度５０が発生するため、屈折部１ｃと屈折部１ｄを押圧により取付け面と平行になるよう角度調整をして取り付ける。
【００２８】  図７（ａ）は、屈曲部３ａから基体屈折部１ｃまでの形状と、屈曲部３ｂから基体屈折部１ｄまでの形状を示す平面図である。
基体屈折部１ｃと基体屈折部１ｄを結ぶ線をＡ線とし、取手支持部６に接する水平の線をＢ線とし、Ａ線とＢ線の略中間に水平の線をＣ線とし、基体屈折部１ｃから垂直の線をＤ線とし、基体屈折部１ｄから垂直の線をＥ線とする。
交点ＤＢを中心点とし、交点ＡＤまでを半径ｒとする円弧の形状に屈曲部３ａから基体屈折部１ｃを形成する。
交点ＥＢを中心点とし、交点ＡＥまでを半径ｒとする円弧の形状に屈曲部３ｂから基体屈折部１ｄを形成する。
用いる材料の可塑性の程度に応じ、中心点をＤＢからＤＣの間で、ＥＢからＥＣの間で好適な位置に定める。
【００２９】  図７（ｂ）は、図７（ａ）の効果を示す平面図であり、屈曲部３ａから基体屈折部１ｃの間、および屈曲部３ｂから基体屈折部１ｄの間は、開口部２の開口度合いが変化しても取り付け面と直角に接する部位があり、その部位に吸盤２０を取り付けが可能となる。
これにより、図６（ｃ）示す角度５０の問題は解消し角度調整が不要となる。
【００３０】  図７（ｃ）は、図７（ａ）による効果を示す斜視図であり、屈曲部３ａから基体屈折部１ｃの間、および屈曲部３ｂから基体屈折部１ｄの間に吸盤２０を嵌められるようになり、容器１０の重心に吸盤２０が近くなり荷重に対する強度を増すことができる。
【００３１】  図８（ａ）は、本発明の容器保持具を組み込んだ洗面化粧台３０であり、（ａ）は全体の斜視図である。点線で囲んだ部分が組み込み部位の例である。ミラーキャビネットの中またはミラー裏面の板部に設けても良い。
【００３２】  図８（ｂ）は図８（ａ）の点線で囲んだ組み込み部位を拡大した例１の斜視図であり、洗面化粧台３０のボウル３６の上部に位置する板部３１に、突出部３３ａと突出部３３ｂを設け、複数の貫通穴３４の内、容器１０の大小に合わせ適宜な貫通穴３４に基体１ａと基体１ｂを挿入して取り付ける。
【００３３】  図８（ｃ）は、図８（ａ）の点線で囲んだ組み込み部位を拡大した例２の斜視図であり、洗面化粧台３０のボウル３６の上部に位置する板部３１に、複数の平頭ピン状のフック４１を突出形成し、本体を板状に形成した基体１ａと基体１ｂに、水平の長穴に連なる上方への係止溝４２を複数設け、容器１０の大小に合わせた適宜の係止溝４２にフック４１を通し本体を取り付ける。
【００３４】  図８の（ｂ）と（ｃ）を、システムキッチンの板部に設ける。図面は同一に現れるため省略した。
【００３５】  図９（ａ）は、全体の形状を曲線で構成することにより応力が集中する箇所をなくし、荷重を分散し強度を高めたものである。さらに下方に設けた先端保護キャップ９により、上方の吸盤２０が外れても下方の吸盤２０が先端保護キャップ９を支点として支え、脱落を防ぐことができる利点がある。
上方の吸盤２０の取り付け部位から下方の先端保護キャップ９までの垂直方向の寸法は、周囲支持部４の中央から壁面など取り付け部位までの寸法と同一にすれば容器１０の荷重と同じ負荷がが上方の二つの吸盤２０に半分ずつかかる。そのため、その同一寸法のプラスマイナス３０パーセントの寸法が強度面と美観面からも好適である。なお、先端保護キャップ９までの寸法をのばせばその割合で上方の」吸盤２０にかかる負荷は軽くなるため、対象の容器１０の重量に応じ寸法を加減する。
【００３６】  図９（ｂ）は、取手１１の無い容器１０の保持も兼ねられ、あわせて誤使用による容器１０の脱落を防止するため、周囲支持部４に下方への延伸部８ｃにガード８ａを設け、延伸部８ｄにガード８ｂを設けた例を示す斜視図である。図２（ｃ）に示す容器１０の飲み口１２の位置より下方にガード８ａとガード８ｂを設けることで取手のある容器１０はガード８ａとガード８ｂに接触せず清潔に保持できる。
【００３７】  図９（ｃ）は、図９（ｂ）の平面図である。
【符号の説明】
【００３８】１ａ    基体
１ｂ    基体
１ｃ    基体屈折部
１ｄ    基体屈折部
２      開口部
３ａ    屈曲部
３ｂ    屈曲部
４      周囲支持部
５      くぼみ部
６      取手支持部
７      交差部
１０    容器
１１    取手
１１ａ  取手外側上端部
１１ｂ  取手外側下端部
１２    容器の飲み口
１３    容器の外底
２０    吸盤
３０    洗面台
３１    板部
【図１】
2014054505.tif 000003
【図２】
2014054505.tif 000004
【図３】
2014054505.tif 000005
【図４】
2014054505.tif 000006
【図５】
2014054505.tif 000007
【図６】
2014054505.tif 000008
【図７】
2014054505.tif 000009
【図８】
2014054505.tif 000010
【図９】
2014054505.tif 000011